(57)【特許請求の範囲】
【請求項１】
静止原稿読取面と、移動原稿読取部と、原稿ホッパと、静止原稿読取面を開閉自在に覆う原稿押さえカバーと、原稿ホッパから一枚ずつ原稿を移動原稿読取部に連続給紙する連続原稿給紙部と、を備えた画像読取装置であって、原稿ホッパを支持すると共に、原稿押さえカバーの上面に形成された排出原稿トレイに積載された原稿が原稿押さえカバー開時に落下するのを防止するストッパ部材を原稿押さえカバーに設け、前記原稿ホッパは原稿押さえカバーの上方に設けられ、前記原稿ホッパと前記ストッパ部材は原稿押さえカバーに脱着自在としたことを特徴とする画像読取装置。
【請求項２】
ストッパ部材は、原稿ホッパの下面に当たり原稿ホッパを支持し、原稿押さえカバーのヒンジ機構側に設けたことを特徴とする請求項１に記載の画像読取装置。
【請求項３】
ストッパ部材は、原稿押さえカバーに設けた孔とストッパ部材に設けたＬ字状の突起部により脱着自在であることを特徴とする請求項２に記載の画像読取装置。
【発明の詳細な説明】
【０００１】
【発明の属する技術分野】
本発明は、原稿の読取機能を備えた画像読取装置であって、例えばコピー機、或いはコピーとファクシミリの両方の機能を備えた画像処理装置等における光学的画像読取装置等に適用されるものに関する。
【０００２】
【従来の技術】
上記のようなコピー機、或いはコピーとファクシミリの両方の機能を備えた画像処理装置等には、光学的画像読取装置が備えられている。従来、画像読取装置には原稿読取部が設けられ、原稿読取部上面部に本等の静止した原稿を読み取る静止原稿読取部と、１枚づつ原稿を給紙して読み取る連続原稿給紙部とが設けられている。一般に、静止原稿読取部には、静止原稿読取面上に上方より押さえる原稿押さえカバーが開閉自在に設けられている。連続原稿給紙部には、原稿を供給するための原稿ホッパと読み取られた原稿を収容する排出トレイが必要になる。画像処理装置では装置全体のコンパクト化を図るため、原稿押さえカバーに原稿ホッパと排出トレイを設けたものがある。これらの装置では、原稿押さえカバーの上面には、連続原稿給紙部内の移動原稿読取部で読み取られた原稿が排出され、積載収容される排出原稿トレイが形成されている。
【０００３】
そして、その排出原稿トレイの上方には、移動原稿読取部に供給される堆積状の原稿が載せられる原稿ホッパが、移動原稿読取部から遠ざかるにつれて上方へいくような傾斜状に、原稿押さえカバーと一体化して取り付けられていた。上記構成により、原稿ホッパに載せられた堆積状の原稿は、一枚ずつ連続原稿給紙部内の移動原稿読取部に連続的に供給されて読み取られ、原稿押さえカバーの上に形成された排出原稿トレイに排出され、積載収容されていた。
【０００４】
【発明が解決しようとする課題】
しかしながら、上述したような従来の画像読取装置では、原稿押さえカバー上に形成された排出原稿トレイと原稿ホッパとの間に部材がなかった。そのため、原稿押さえカバー開時、排出原稿トレイと原稿ホッパとの間から、排出原稿トレイに積載収容された原稿が落下するといった問題が発生していた。また、原稿ホッパが原稿押さえカバーに一体化されていたため、原稿ホッパに負荷がかかると、原稿ホッパと原稿押さえカバーの接合部が変形、破損等したり、さらには原稿ホッパ自体が破損するといった問題が発生していた。
【０００５】
本発明の目的は、従来のこのような欠点を解消し、原稿押さえカバーの開時に原稿押さえカバー上に積載された原稿の落下を防止すると共に、原稿ホッパを確実に支持する。
【０００６】
【課題を解決するための手段】
上記目的を達成するために、本発明は、静止原稿読取面と、移動原稿読取部と、原稿ホッパと、静止原稿読取面を開閉自在に覆う原稿押さえカバーと、原稿ホッパから一枚ずつ原稿を移動原稿読取部に連続給紙する連続原稿給紙部と、を備えた画像読取装置であって、原稿ホッパを支持すると共に、原稿押さえカバーの上面に形成された排出原稿トレイに積載された原稿が原稿押さえカバー開時に落下するのを防止するストッパ部材を原稿押さえカバーに設け、前記原稿ホッパは原稿押さえカバーの上方に設けられ、前記原稿ホッパと前記ストッパ部材は原稿押さえカバーに脱着自在とした。また、ストッパ部材は、原稿ホッパの下面に当たり原稿ホッパを支持し、原稿押さえカバーのヒンジ機構側に設けた。さらに、ストッパ部材は、原稿押さえカバーに設けた孔とストッパ部材に設けたＬ字状の突起部により脱着自在である。
【０００７】
【発明の実施の形態】
以下、本発明の画像読取装置の実施の形態を図面を参照しつつ説明する。図１は、本発明の実施の形態の画像読取装置を含む画像処理装置であって、原稿押さえカバー開時を示す斜視図である。図２は、図１の画像処理装置の原稿押さえカバー閉時を示す斜視図である。図３は、画像処理装置の画像読取部の内部を示す断面図である。図４は、画像読取装置の原稿押さえカバーへの原稿ホッパの取付けを示す斜視図である。図５は、図１の画像処理装置の原稿押さえカバー開時を示す側面図である。
【０００８】
先ず、本発明の画像読取装置が適用される画像処理装置について、図１〜図３により説明する。装置全体の筐体構造としては、原稿読取部Ａと画像記録部１０とが上下に設けられている。原稿読取部Ａは、画像記録部１０の上部に形成されるものであり、本等の静止原稿を載せている透明状の静止原稿読取面Ｂが上面に設けられている。そして、静止原稿読取面Ｂの後方にて、原稿読取部Ａに、ヒンジ機構Ｅを介して開閉自在な原稿押さえカバーＣを取り付けており、原稿押さえカバーＣにて、静止原稿読取面Ｂ上に置かれた原稿を上方より押さえるものとなっている。
【０００９】
原稿読取部Ａ内においては、図３の如く、その底面にレンズ１３ａ及び光電変換器１３ｂを備えた光電変換ユニット１３が設けられている。そして、光源１１ａ及び第一反射鏡１１ｂを備えた第一走査体１１と、第二反射鏡１２ａ及び第三反射鏡１２ｂを備えた第二走査体１２とを、静止原稿読取面Ｂの下方で搬送させ、光源１１ａで静止原稿読取面Ｂを照射する。その上方に置かれる原稿Ｄの画像を、第一反射鏡１１ｂ、第二反射鏡１２ａ、及び第三反射鏡１２ｂを介して反射し、光電変換ユニット１３のレンズ１３ａで結像させ、光電変換器１３ｂにて電気信号化するものである。第一走査体１１と第二走査体１２とは、静止原稿読取面Ｂのガラス直下で搬送される。
【００１０】
また、原稿読取部Ａの上部には、静止原稿読取面Ｂに隣接して、移動原稿読取部１４が設けられており、その上方には連続原稿給紙部１５が設けられている。そして、原稿押さえカバーＣの上面には排出原稿トレイ１８が形成されている。原稿押さえカバーＣの上方には移動原稿読取部１４に供給する複数の原稿を堆積状に載せる原稿ホッパ１７が設けられ、一枚ずつ原稿を連続的に供給して読み取ることもできるようになっている。この場合には、移動原稿読取部１４の下方に第一走査体１１及び第二走査体１２を静止させておくものである。
【００１１】
このような画像読取部にて読み取られた画像情報や、或いは、受信されたファクシミリ情報を基に、画像記録部１０内に設けられている記録部にて、記録紙に記録がなされる。
【００１２】
原稿ホッパ１７は、連続原稿給紙部１５から遠ざかるにつれて上方へいくように傾斜状に設けられている。原稿ホッパ１７には原稿ガイド１７ａが設けられ、原稿ホッパ１７に載せられる原稿Ｄ１の幅方向をガイドするようになっている。原稿ホッパ１７側の連続原稿給紙部１５側端に、連続原稿給紙部１５の原稿入口部２３が設けられ、原稿入口部２３の直下に原稿排出口２４が設けられている。
【００１３】
連続原稿給紙部１５の原稿入口部２３には、ピックアップローラ５、分離ローラ６、リタードローラ７が設けられ、原稿ホッパ１７上に載せられた原稿Ｄ１が１枚ずつ分離され、連続原稿給紙部１５内に略横Ｕ字状に形成された原稿搬送経路１５ａ内を搬送される。原稿搬送経路１５ａの湾曲部分には、給紙ローラ８が設けられ、給紙ローラ８を経た原稿搬送経路１５ａの最下部には、連続供給される原稿の読取部を形成する、ガラスなどの透明部材よりなる移動原稿読取部１４が設けられている。
【００１４】
原稿搬送経路１５ａの終端部の原稿排出口２４には、排出ローラ２１、２２が設けられている。排出ローラ２１、２２を経て排出された原稿は、原稿押さえカバーＣ上に形成した排出原稿トレイ１８上に排出され、連続供給された原稿が次々と堆積していく。また、原稿排出口２４は、上下方向において、排出原稿トレイ１８表面と原稿ホッパ１７との裏面との間に形成された排出原稿受け入口部２７の上端部に位置させている。そして、原稿排出口２４と排出原稿トレイ１８との高低差を大きくして、排出原稿トレイ１８上に載せられる排出原稿の堆積量が多く確保できるように構成している
【００１５】
次に、本発明の原稿押さえカバーＣについて述べる。上述のように、原稿押さえカバーＣは、原稿読取部Ａにヒンジ機構Ｅの支点を介して取り付けられている。図１に示すように、原稿押さえカバーＣはプラテンカバー５１と押圧シート５４とから構成されている。プラテンカバー５１は、ヒンジ機構Ｅに取付けられる。プラテンカバー５１は、軽量化して開閉の操作性を向上させる等のため、例えば樹脂が用いられる。押圧シート５４は、原稿Ｄの上面に接触して押圧する柔軟な部材である。押圧シート５４はプラテンカバー５１に取り付けられている。
【００１６】
そして、図３に示すように、原稿読取部Ａの静止原稿読取面Ｂ上に本等の原稿Ｄを載せて原稿押さえカバーＣを閉め、原稿Ｄも押さえて、原稿読取部Ａに原稿の画像を読み取らすことができる。
【００１７】
次に、原稿ホッパ１７について、主に図２〜図４を参照しつつ述べる。先ず、原稿ホッパ１７の構成について述べる。原稿ホッパ１７は、図４に示されるように、両側面の隅部に突起部３０、３１が一体成形で設けられている。また、図４に示されるように、原稿押さえカバーＣにおけるプラテンカバー５１の突出部５１ａ、５１ｂの各々に、対向して孔３２、３３が設けられている。原稿ホッパ１７は、撓ませることができるプラスチック成形品からなり、図４に示されるように、原稿ホッパ１７を幅方向に撓ませることにより突起部３０が孔３２に、突起部３１が孔３３に、それぞれ挿入される（原稿押さえカバーＣを撓ませて、突起部３０を孔３２に、突起部３１を孔３３に挿入させることも可能である。）。上述のように、原稿ホッパ１７（原稿押さえカバーＣ）を撓ませることにより、原稿ホッパ１７は原稿押さえカバーＣから脱着自在である。また、突起部３０と孔３２、突起部３１と孔３３とにより原稿ホッパのヒンジ機構Ｈが構成され、原稿ホッパ１７は回動自在となっている。
【００１８】
回動する原稿ホッパ１７は、後述するストッパ部材４０により、連続原稿給紙部１５から遠ざかるにつれて上方へいくように傾斜状態で静止するようになっている。原稿ホッパ１７上には、図２、図４に示されるように、一対の原稿ガイド１７ａが原稿Ｄ１の幅方向に往復移動できるように設けられている。一対の原稿ガイド１７ａは、図２に示されるように、原稿ホッパ１７に堆積状に載せられる原稿Ｄ１を幅方向に挟み、ガイドする。
【００１９】
上述のように原稿ホッパ１７は突起部３０と孔３２、突起部３１と孔３３で構成されるヒンジ機構Ｈにより回動自在であり、原稿ホッパ１７を持ち上げて回動させ、連続原稿給紙部１５から排出原稿トレイ１８に排出され、積載収容された原稿を取り出す。また、原稿ホッパ１７と排出原稿トレイ１８が２段に構成されるために、装置の設置面積が小さくなり、装置がコンパクトとなっている。また、原稿ホッパ１７が上段であるため、堆積状の原稿Ｄ１を原稿ホッパ１７に載せ易くなっている。
【００２０】
次に、ストッパ部材４０について述べる。図２、図３および図５に示されるように、ストッパ部材４０は原稿ホッパ１７と原稿押さえカバーＣとの間、且つ、図５に示すようにヒンジ機構Ｅ側に設けられている。ストッパ部材４０は、図５に示すようにＺ字状の支持部４１と、図３、図５に示すようにＺ字状の支持部４１の底部４１ｂ底面から延びる一対のＬ字状の突起部４２とからなる。Ｚ字状の支持部４１とＬ字状突起部４２は一体成形されている。ストッパ部材４０のＺ字状の支持部４１の上部４１ａ上面が、回動可能な原稿ホッパ１７の下面に当たり原稿ホッパを支持する。
【００２１】
図３に示されるように、ストッパ部材４０は、原稿押さえカバーＣのプラテンカバー５１の突出部５１ｂに設けられた一対の孔５１ｈに、一対のＬ字状の突起部４２が矢印ｍ方向に入れられて取り付けられる（尚、図３では一方の孔５１ｈ、突起部４２のみを示している。）。即ち、支持部４１の底部４１ｂ底面とプラテンカバー５１の突出部５１ｂ上面が接し、Ｚ字状の支持部４１の底部４１ｂとＬ字状突起部４２の先端部４２ａとの間への突出部５１ｂ上面の係合により固定される。ストッパ部材４０は上記のような構成であるため脱着自在とすることができる。
【００２２】
上記構成のように、ヒンジ機構Ｅ側にストッパ部材４０が原稿押さえカバーＣ上面に設けられているので、図５に示すように原稿押さえカバーＣ上面に原稿Ｄ１が積載されたまま原稿押さえカバーＣが開けられても、原稿Ｄ１はストッパ部材４０当たり、原稿押さえカバーＣから原稿の床面等への落下が防止される。
【００２３】
上述のように、ストッパ部材４０が原稿ホッパ１７を支持すると共に、図５に示されるように原稿押さえカバーＣを開けた時、原稿押さえカバーＣ上の排出原稿トレイ１８に積載収容された原稿Ｄ１の落下を防止する。また、ストッパ部材４０が原稿ホッパ１７を確実に支持することができるため、原稿ホッパ１７に多少の負荷がかかっても、原稿ホッパ１７が破損しない。また、上記のように、ストッパ部材４０は、原稿押さえカバＣ上に設けた孔５１とストッパ部材４０に設けたＬ字状の突起部４２の嵌合により取り付けられているので、容易に取り外すことができる。さらに、上記のように、原稿ホッパ１７も取り外せるため、装置の突出部を無くすことができ、梱包状態をコンパクトにすることができる。
【００２４】
【発明の効果】
上述のように、請求項１の発明により、原稿押さえカバー開時、排出原稿トレイと原稿ホッパとの間から、排出原稿トレイに積載収容された原稿が落下するといった問題を防止することができる。また、原稿ホッパを確実に支持することができるため、原稿ホッパに多少の負荷がかかっても、原稿ホッパと原稿押さえカバーへの取付けが変形、破損等したり、さらには原稿ホッパ自体が破損するといった問題が防止される。また、前記原稿ホッパと前記ストッパ部材とを取り外せるため、装置の突出部を無くすことができ、梱包状態をコンパクトにすることができる。
【００２５】
請求項２の発明は、ストッパ部材を原稿押さえカバーのヒンジ機構側に設けたので、上記の原稿押さえカバー開時の原稿落下防止と共に、原稿押さえカバー上に積載収容された原稿の取り出しに支障をきたさない。また、原稿ホッパはストパ部材に当たって支持されているので、原稿ホッパの取り外しにストッパ部材が邪魔になることはない。
【００２６】
請求項３の発明により、簡易な構成でストッパ部材を原稿押さえカバー上面に確実に取り付けることができると共に、ストッパ部材の取り外しも容易である。
【図面の簡単な説明】
【図１】本発明の実施の形態の画像読取装置を含む画像処理装置であって、原稿押さえカバー開時を示す斜視図である。
【図２】図１の画像処理装置の原稿押さえカバー閉時を示す斜視図である。
【図３】画像処理装置の画像読取部の内部を示す断面図である。
【図４】画像読取装置の原稿押さえカバーへの原稿ホッパの取付けを示す斜視図である。
【図５】図１の画像処理装置の原稿押さえカバー開時を示す側面図である。
【符号の説明】
Ａ      原稿読取部
Ｂ            静止原稿読取面
Ｃ            原稿押さえカバー
Ｄ１    原稿
Ｅ      ヒンジ機構
１４            移動原稿読取部
１５            連続原稿給紙部
１７            原稿ホッパ
４０            ストッパ部材
４２            突起部
５１            プラテンカバー
５１ｈ        孔
【図１】
0003624636.tif 000002
【図２】
0003624636.tif 000003
【図３】
0003624636.tif 000004
【図４】
0003624636.tif 000005
【図５】
0003624636.tif 000006